(57)【要約】      （修正有）【課題】除塵から流塵への思想を徹底し、かつ、肥沃な土質材料を含む流水を安価にして単純な構造で、日常の保守管理が極めて簡単に済むと共に、分水路を形成するパイプラインを長持ちさせることを可能とする上下２段構造の分流装置を提供する。【解決手段】農業用水等のコンクリート開水路の分水する分流装置において、上流開水路１から上下２段構造分水路２を通過して下流開水路５まで水路幅は一定区間ほぼ同一断面で滑面に形成し、分水口は、従来の側壁ではなく底面位置にして固形物が堆積しない流速と水位を設け、該上下２段構造分水路２の中間にパネルスクリーン７を平滑に設置することにより、流水内の障害となる流塵は、流水によってそのまま下流開水路５に流し、分水に浮遊土砂の粗砂以上を流入させない。【選択図】図３
2012140845.tif 000002
【特許請求の範囲】
【請求項１】
本流路の所定の勾配を有する区間に設けられた上下２段構造の分流装置であって、該分流装置は、前記本流路の底面と面一に形成された通水性のパネルスクリーンを底面に備えた開放型の上段流路と、前記パネルスクリーン下部に設けられ、下流側となる側壁の下部に排出弁を備えると共に側壁の前記排出弁よりも高い位置に支流路に接続される分水管路を備えた下段貯水装置とからなり、前記パネルスクリーンは、上面が平滑な面で形成され、前記平滑な面には所定流径を有する流塵の通過を許容する許容孔が複数設けられていることを特徴とする上下２段構造の分流装置。
【請求項２】
前記開放型の上段流路の天面開口部が遮光部材で覆われていることを特徴とする請求項１記載の上下２段構造の分流装置。
【請求項３】
前記パネルスクリーンは平板で、該平板に設けられた前記許容孔は、丸孔であることを特徴とする請求項１または請求項２に記載の上下２段構造の分流装置。
【請求項４】
前記パネルスクリーンは平板で、該平板に設けられた前記許容孔は、スリット状の孔であることを特徴とする請求項１または請求項２に記載の上下２段構造の分流装置。
【請求項５】
前記パネルスクリーンは、断面三角形の棒の複数本を前記許容孔寸法の隙間を設けて外枠に固定されたもので、該棒の三角形の一辺を上面として配置されていることを特徴とする請求項１または請求項２に記載の上下２段構造の分流装置。
【発明の詳細な説明】
【技術分野】
【０００１】
本発明は、上下２段構造の分流装置に関する。  
【背景技術】
【０００２】
従来の用水分水技術は、河川や渓流である本流路からの流水が少ないときでも必要用水量を確実に分水取水するために、分水取水する本流路に堰等の制水ゲートを設置して流水を蓄えて、支流路となる分水路に分水していた。そして更に、この分水路を分水する分水装置にも制水ゲートや流塵フィルタ等が設置されていた。即ち、分水路に分水する度にその分流地点の分流装置には何らかの制水ゲートや流塵フィルタが設置されていた。この考え方は、分流地点では制水ゲートで流水を蓄え、かつ、流塵を捕獲する、所謂、貯水・流塵捕獲システムであった。
しかし、この貯水・流塵捕獲システムには、捕獲した流塵の後処理、流塵フィルタの日常の管理に相当な労力と費用がかかっていた。特に、集中豪雨時にはこれらの分流装置が災いして各分流装置部が氾濫して二次災害が生じることがあった。
【０００３】
かかる、貯水・流塵捕獲システムの抱える問題を解決するために、本流の流水量が少ないときでも用水を確実に分水取水でき、かつ、日常的管理を要せず、集中豪雨時にも二次災害を生じることがないように改良した分流装置である。所謂、無堰・流塵下流押し流しシステムの分流装置である。
【０００４】
この無堰・流塵下流押し流しシステムの分流装置として、主水路を分流した副水路の一部の底面を一段と掘り下げて形成した貯水室からポンプで吸い上げて分流するものであって、この貯水室の天面にフィルタとなる除塵網を副水路の底面と同一面となるように設けると共に、この副水路に所定の勾配を設けて流速を高めて、流塵が除塵網に堆積しないように下流に押し流すものである（例えば、特許文献１参照）。
また、主水路の底面に沿う壁側の一部に開口部を設けてその奥を掘り下げて形成した取水枡から配管を介して分流するものであって、この取水枡の入り口となる側壁の開口部には棒状部材からなる防塵ガードを配置し、流塵は全て下流に流すものである（例えば、特許文献２参照）。
【０００５】
これらは所謂、無堰・流塵下流押し流しシステムの分流装置であって、流塵を捕獲せずに下流に押し流してしまうので捕獲する流塵がないから流塵の後始末が不要であると共に流塵の詰まりに起因し、流水が溢れ出し、二次災害が生じるということがない。
然しながら、前後者とも除塵網に発生する藻の抑制及び通過する土粒子の制限に対する配慮がないことから砂礫が除塵網を通過、または、除塵網の途中に留まってしまうことに加えて除塵網に藻が発生し通過する水量が不足する現象が起こるという欠点と通過した砂礫がポンプの磨耗を早めてしまうという欠点がある。また、分流路がパイプラインで構成されている場合にはパイプラインの磨耗・損傷などが生じるという欠点がある。
【先行技術文献】
【特許文献】
【０００６】
【特許文献１】特開昭５８−１７３２１１号公報  （図１、図２参照）
【特許文献２】特開２００３−２２１８２１号公報（図１４、図１５参照）
【発明の概要】
【発明が解決しようとする課題】
【０００７】
本発明は、以上のような従来の欠点に鑑み、河川、渓流、農業用水路等の本流の流水過多にも係わらず、かつ、この本流の流れに悪影響を与えることなく、本流から流れ来る多種に及ぶ流塵（浮遊土砂や草木等を含む一般ゴミ）は、分流装置を通過させて下流に流し、分流装置では本流から流れてくる流塵の中から通過を許容される中砂以下の土質材料を含む流水を引き込んで細砂以下で砂鉄分を除いた肥沃な土質材料を含む流水を分水路に流すもので、所謂、除塵から流塵への思想を徹底し、かつ、肥沃な土質材料を含む流水を安価にして単純な構造で、日常の保守管理が極めて簡単に済むと共に、分水路を形成するパイプラインを長持ちさせることを可能とする上下２段構造の分流装置を提供することを目的とする。
【課題を解決するための手段】
【０００８】
上記目的を達成するために、本発明は、本流路の所定の勾配を有する区間に設けられた上下２段構造の分流装置であって、該分流装置は前記本流路の底面と面一に形成された通水性のパネルスクリーンを底面に備えた開放型の上段流路と、前記パネルスクリーン下部に設けられ、下流側となる側壁の下部に排出弁を備えると共に側壁の前記排出弁よりも高い位置に支流路に接続される分水管路を備えた下段貯水装置とからなり、前記パネルスクリーンは、上面が平滑な面で形成され、前記平滑な面には所定流径を有する流塵の通過を許容する許容孔が複数設けられて形成された上下２段構造の分流装置である。
【０００９】
また、前記開放型の上段流路の天面開口部が遮光部材で覆われているものであってもい。
【００１０】
また、前記パネルスクリーンは平板で、該平板に設けられた前記許容孔は、丸孔であっても良い。
【００１１】
更に、前記パネルスクリーンは平板で、該平板に設けられた前記許容孔は、スリット状の孔であっても良い。
【００１２】
また、前記パネルスクリーンは、断面三角形の棒の複数本を前記許容孔寸法の隙間を設けて外枠に固定されたもので、該棒の三角形の一辺を上面として配置されているものであっても良い。
【発明の効果】
【００１３】
以上の説明から明らかのように、本発明にあっては以下に列挙する効果が得られる。
（１）本流路の所定の勾配を有する区間に、本流路の底面と面一に配置された上段流路の底面に配置された通水性のパネルスクリーンを介して分水するので、本流路の流水過多にも係わらず、必要な量の流水量を分水し支流路に流すことができる。
（２）パネルスクリーンは、上面が平滑な面で形成され、前記平滑な面には所定粒径を有する流塵の通過を許容する許容孔が複数設けられているので、本流路から流れ来る多種に及ぶ流塵は、上段流路を通過させて下流の本流路に流す、所謂、除塵から流塵への思想を徹底した方式なので、上段流路に堆積する流塵がなく、また、パネルスクリーン上を流れる流塵がパネルスクリーンを掃くように清掃してくれるので藻の発生が少なく、保守管理が極めて簡単に済む。
（３）下段貯水装置は、下流側となる側壁の下部に排出弁を備えると共に側壁の前記排出弁よりも高い位置に支流路に接続される分水管路を備えているので、パネルスクリーンの許容孔を通過して下段貯水装置に流れ込んだ砂鉄を含む中砂等の堆積する固形分は、排出弁から排出され、分水管路から支流路に流される分流水には細砂以下の肥沃な土質材料が含まれているので、分水管以降の支流路の磨耗や、各種設備の故障等の悪影響を与えることがなく、かつ、肥沃な分流水となっている。即ち、本発明の構成は、安価にして単純な構造であり、日常の保守管理が極めて簡単に済むと共に支水路を形成するパイプラインを長持ちさせると共に肥沃な分流水を供給することができる効果を奏する。
（４）更に加えて、前記開放型の上段流路の天面開口部が遮光部材で覆われていることによって、パネルスクリーン上の藻の発生は極めて少なくなり、流塵の通過を許容する許容孔の設計自由度が向上すると共に、上記（１）から（３）の効果は更に顕著となる。
（５）また、更に加えて、前記スクリーンバーの断面形状は、前記貯水槽の上面に一辺を位置させて配置した三角形としたことによって、貯水槽に流れる流路損失抵抗を少なくすることができるので、境界に発生する渦流が減少し、貯水槽に流れ込む効率が上がり小型化することができる。
【図面の簡単な説明】
【００１４】
【図１】本発明に係る実施例１の平面図。
【図２】同上実施例１に使用されるパネルスクリーンの詳細図。        （１）パネルスクリーンの平面図。        （２）同上ａ−ａ’断面図。        （３）同上ｂ−ｂ’断面図。        （４）同上パネルスクリーンの使用状態を示す拡大断面図。
【図３】図１のＥ−Ｅ’断面図。
【図４】図３の要部断面図。        （１）同上Ａ−Ａ’断面図。        （２）同上Ｂ−Ｂ’断面図。        （３）同上Ｃ−Ｃ’断面図。        （４）同上Ｄ−Ｄ’断面図。
【図５】開閉栓の正面図・断面図。
【図６】実施例２におけるパネルスクリーンの平面図。
【図７】実施例３におけるパネルスクリーンの平面図。
【図８】粒径加積曲線図。
【図９】浮遊土砂中の砂鉄類の計測。
【図１０】パネルスクリーンに付着する藻の発生状況を示した検証図。
【発明を実施するための形態】
【００１５】
本発明は様々な実施の形態が考えられるが、その代表的な形態は以下の通りである。
（１）形態１は、本発明を一般河川（１，２級河川、準用河川、普通河川）に適し、その分流水を農業用水路に引き込む場合である。
（２）形態２は、本発明を農業用水路（用水路）に適用し、その分流水をパイプラインで田畑に引き込む場合である。
（３）形態３は、本発明を排水路に適用し、その分流水を農業用水路に引き込む場合である。
（４）形態４は、本発明を排水路に適用し、その分流水をパイプラインで田畑に引き込む場合である。
尚、上記何れの形態においても分流水の引き込み先に小水力発電機が設けられた場合も好適な実施の形態である。
【００１６】
上記何れの形態においても基本的な考え方は同じであって、分流水を取り込む大元を本流路とし、この本流路から本発明の上下２段構造の分流装置で分水された分流水を流す先を支流路とすることで説明される。以下の実施例１〜３の説明に当たっては、上記形態３の場合を取り上げて説明する。
【００１７】
先ず、使用する用語について説明をする。
一般河川（河川）：１、２級河川、準用河川及び普通河川を言う。
農業用水路（用水路及び排水路）：大小を問わずに農業専用の水路を言う。
流塵（浮遊土砂等）：土粒子及び、枯れ枝、落ち葉、刈草、ビニール廃棄物、空き缶等の流塵または浮遊土砂等を言う。
許容土粒子：粘土、シルト、砂（砂鉄を含む中砂以下の粒径のもの）を言う（図８参照）。
許容孔：許容土粒子の通過を可能とする孔で、本流路を流れる流水の量、流塵の量と種類等の特質（特に砂鉄の含有量に注目）によって適宜定められる設計事項を含んでいるが、概ね中砂の粒径の範囲で定められる（実験例１では、粗砂０．８５ｍｍ以上の砂の流入を防ぐ目的でスクリーンバーの隙間（スリット）を０．５０ｍｍにした）。
所定の勾配：流塵がパネルスクリーン上を堆積することなく流塵を押し流す水の最小許容流速（実施例１では毎秒約０．９ｍ）以上を得るための勾配（実施例１では約１／１００程度以上）である。
【実施例１】
【００１８】
先ず、本発明の実施例１の主要構造部を図１〜図５に基づいて説明する。図において、２は本発明の上下２段構造の分水装置であり、前後が、Ｕ字溝と呼ばれているコンクリート二次製品からなる上流開水路１と下流開水路５に連結されている。この上下２段構造の分水装置２は、上段の分水上段開水路３と下段の分水下段水槽４とその中間に取り外し可能に差し込まれているパネルスクリーン７とで構成されている。分水上段開水路３は、分水下段水槽４が定位置に埋設された後に上流開水路１と下流開水路５との間に現場打ちされたコンクリート製のものである。パネルスクリーン７は、上流開水路１と下流開水路５の底面同士を面一で段差なく所定の勾配で設置されているものである。
【００１９】
上下２段構造分水路２は、分水下段水槽４（落蓋型Ｕ字溝と呼ばれているコンクリート二次製品）とその上面を閉塞する通水性のパネルスクリーン７と分水下段水槽４内に貯水された分流水を排水する分水管路（塩ビ管) １１と分水下段水槽４内に堆積した不要物を外部に排出する開閉栓（塩ビ管の開閉) ８とを備えている。  但し、分水管路１１がパイプラインの形態ではない用水路とした場合は、排砂管路１２を必要としない構造としても良い。
【００２０】
表面が平滑なさび止め鋼材製のパネルスクリーン７は（図２参照）等辺山形鋼アングル製の外枠９にスクリーン三角バー（断面三角形な棒状のさび止め鋼材又は、ステンレス鋼材）１０が所定の極細目の間隔Ｓ1（後述）を設けて棒状に固定されていて、その三角ーは一辺の幅Ｓ2が上面になり対向する一角が下方に、長辺が流れの迎え辺となるように配置されている。
尚、極細目の間隔Ｓ1は、通過させる許容流塵径を中砂までとし０．８５ｍｍ程度とするが、この間隔Ｓ1の選択は土粒子の粒径によって自由に選択することができるが、およそ５ミリメートル以上にすると草や一般ゴミ等が引っ掛かってしまう危険性があるので主水路の環境にもよるが、上限は１ミリメートル以下にすることが良い。また、パネルスクリーン７の外形寸法（面積）、三角バー間の隙間Ｓ1等は必要とする分水量を基準に設計事項として定めることとすればよい。
【００２１】
以下に上記構造の仔細と共に、全体の流路の流れを説明する。
【００２２】
常時、上流開水路１から流れてくる流塵水（枯れ枝、落ち葉、刈草、ビニール廃棄物、浮遊土砂等々の固形物を含む）は、上下２段構造の分水上段開水路３と分水下段水槽４の中間に設けられた３枚のパネルスクリーン7によって分水し、分水上段開水路３の流塵は水とともに下流開水路５に流れ、パネルスクリーン7を通過した許容外の固形物を含まない水だけを分水管路１１に流入させる分水構造である。
尚、パネルスクリーン７は、流塵が三角バー間の隙間以外から漏れないようにするため密着の良い差込みとし、スクリーン設置長L2の下流からパネルスクリーンの差込溝１３に２枚を差込み、最後尾のパネルスクリーン7は、上から置き固定ピンで２箇所を止める。固定ピンの頭部分は流塵が引っ掛からないようにするため、半円形とする。また、スクリーン設置長L2は、隙間がないように取外しができるパネルスクリーン７の１枚の長さL3の整数倍とする。
尚、パネルスクリーン7の差込む位置は、分水管路１１と排砂管路１２の開閉栓８の管理が必要な位置と合わせることから下流から差込み方式としてある。
【００２３】
開水路全線で流塵が堆積しないためには、上流開水路１から下流開水路５まで、流塵を押し流す流速として毎秒０．９ｍ以上の流速が出るように水路敷勾配１／１００を設定すれば、例え、渇水期に本流の水量が減って分水するパネルスクリーン７上に流塵が一時的に堆積したとしても、パネルスクリーン７が滑面で敷勾配が取れていれば開水路の水位Ｗ1・Ｗ2が上がってくれば、流塵は跡形もなく流れてしまう。特に、分水することで水量が減り固形物を下流に流す力が弱まるのでパネルスクリーン上で流塵が堆積する場合が多いため、開水路の水位Ｗ2・Ｗ3を確保することとする。
【００２４】
又、開水路全線で枯れ枝等の流下物が水路天端の草等に引っ掛かり、その連鎖で開水路を閉塞させている事例が多く、水路内の流塵が堆積しないようにするためには、分水上段開水路３の天端も現場打ちコンクリートで仕上げておくと良い。また、分水路長L1間での藻の発生を少なくするために、この分水路長L1間に太陽光を遮る開閉可能な点検蓋を備えた太陽光遮へい構造物（特に図示していないが、一般的な構造物でよく、例えば鉄やコンクリート製の蓋であったり、黒色の幌を枠組みに取り付けたテントのようなものであってもよい）を設けることが好ましい。
【００２５】
分水上段開水路３内で、特に、パネルスクリーン7の上に固形物が堆積しないように上下２段構造分水路２の前後には流速を減勢させるような落差工の設置はしないことが好ましい。
【００２６】
そして、最後尾のパネルスクリーン７の取り外しにより、分水下段水槽４内にある排砂管路１２の開閉栓８は、取り外し用の操作棒（図示していない）で手動調整し底面から常時数センチ開く状態で排砂を流し続ける。材質は水密性の良い塩ビ製とし、分水下段水槽４の敷は、排砂する開閉栓８に向かって現場打ちコンクリート６で傾斜面を設定し、水の流れを利用することで排砂が堆積しないようにする。  上下２段構造分水路２の設置場所は、排砂管路１２ができるだけ短距離で本流に戻せる高低差の取れる所が良い。  コンクリート二次製品のＵ字溝を利用している分水下段水槽４は貯水できるように前後を現場打ちコンクリート６を打設することとする。 
【００２７】
この分水下段水槽４内で沈降する砂鉄類を取り除くためには、比重が７．８倍と大きい砂鉄類が沈降するように分水下段水槽深さH3を十分に取り、底面は流れやすいように傾斜をつけ、常時除去されることが好ましい。排砂管路１２の開閉栓８で、常時、沈降する固形物を下流開水路５に流し、開閉栓８の管径は、排砂管路１２の勾配や延長等による現場条件で判断して決めることとし、農業用水の入らない非かんがい期は、分水管路１１や排砂管路１２は締めることとする。
【００２８】
上流開水路１と同一幅にした分水下段水槽４は、工場製作のコンクリート二次製品のＵ字溝を利用することで数枚となるパネルスクリーン７の均一設置を高め、パネルスクリーン７を滑らかに設置することが可能となり、パネルスクリーン７上を流塵が滑らかに流れるため、流塵の堆積をなくすことができる。
【００２９】
図４は図３の要部断面図で(２)(３)の断面図は、上下２段構造分水路２のパネルスクリーン７を挟んだ上は、現場打ちコンクリートの分水上段開水路３で、下は工場製作のコンクリート二次製品を利用した分水下段水槽４からなっている。
【００３０】
そして分水管路１１に、必要な用水を確保し、管路障害となるエアーハンマーを生じさせないために、管内に連行される空気をなくすには、分水上段開水路水位Ｗ2を確保し、水圧を確保できる分水下段水槽深さH3も十分に取ることが必要である。
【００３１】
図５の排砂管路１２は、分水管路１１の摩耗の原因となる砂鉄分の粒径０．２５〜０．５０ｍｍと多く分布する中砂をできるだけ取り除くために沈降除去する固形物量の排除調整を行っている塩ビ製の開閉栓８の正面と側面図である。
【００３２】
尚、実施例では、前記スクリーン三角バー１０は、断面三角形の棒の複数本を流水方向に対して直角に配置しているが斜めや平行であってもよい。しかし、分水効率がよいのは、流水に対して抵抗面の多い直角配置である。
（実験例１）
【００３３】
今回の工事目的は、浮遊土砂の多い排水路から農業用水の不足する用水路に、途中、別の排水路を横断する地形での塩ビ導水管工事により、用水の不足量を補うため排水路に上下２段構造分水路を設置して水の再利用を実施したときの具体的な実験例１を下記に示す。
【００３４】
（１）図４の上流開水路１の水路条件は、排水路断面U300*300で水路敷勾配がＩ＝1/100 で設置され、 水位が W1 = 0.20mのとき、水路の流速・流量はマニング公式で計算すると粗度係数0.014となり 流速  V=1.35m/s  、 流量  Q=0.074m3/sとなる。
（２）分水管路11の必要量は、管路であるため、ヘーゼンウィリアム公式で計算するため、塩ビ管φ150、管路延長L=300m 、管路高低差H=8.0mの場合は、管路流速  V=1.50m/s   流量  Q=0.027m3/s  となる。
（３）パネルスクリーン7は、特に管路弁類損傷を防ぐため、粗砂0.85mm以上の砂の流入を防ぐ目的でスクリーンバー間の隙間を0.5mmにした場合の通水量を計算する。 スクリーン三角バー(さび止め鋼材)巾 4mm、スクリーンの通水巾0.28m(水路敷巾)の両側に外枠アングルで形成し、１枚のパネルスクリーン長L3は0.50mでスクリーン三角バー93本、1枚当り開口率  (0.0005×0.28×93)/(0.28×0.50) ≒ 10%、１枚当りの通水断面  0.0005m×0.28m×93本 = 0.0130m2／枚となり、スクリーン三角バー間の隙間の流速は落水であるため  √2g・h  の上流流速を採用し、１枚当りの通水流量は、0.0130m2×1.35 m/s = 0.018m3/s ／枚となる。よって、必要なスクリーン枚数は、分水管路11の必要量 ÷ １枚当りの通水流量0.027m3/s ÷ 0.018m3/s  = 1.5枚となり、スクリーン設置長L2は取水量の安定量確保のため２枚(1.0m)を通水スクリーンにして、最後尾の１枚を管理蓋5とし、計３枚(1.5m)とする。
（４）下流開水路5へ流れる残流量は、上流開水路流量の４割を取水するため、流塵と共に流れる水量は、Q = 0.074m3/s−0.027m3/s  = 0.047m3/s となり水位は、W3=0.12m位と想定される。
（５）分水上段開水路３のスクリーン上のＷ2の水位も下流開水路５と同じ位であり、分水下段水槽４ は、分水管路１１がパイプラインのため、空気流入を防ぐため満水となる貯水槽とする。また、排砂管路１２は、パネルスクリーン７で除去できない分水下段水槽内に沈降する固形物除去を排砂水として常時流すことで管路弁類に影響を与える砂鉄類の除去を目的とした。
（実験例２）
【００３５】
実験例２(図１０)では、Ｂ＝８００、Ｈ＝６００の排水路にパネルスクリーン４枚配置した上下２段構造分水装置を設定し、スクリーン三角バーの縦目と横目に左右２枚づつ分けて設置し比較することで、どちらの分水効率がよいのか。以下に、実験例２の結果及びその考察を示す。
イ、藻の発生は、野外である以上、水に十分な栄養素は含まれており、太陽光が十分にあたる水路は、起こるべくして起きてしまい防ぎようがありません。そのため、分水を必要としていない期間は、分水パネルスクリーンを滑面板に入れ替えるか、上面に遮光の管理蓋をした方がよい。特に、緑色のノリ状藻は繁殖力が強く（図１０の写真右）水温が低くても大量発生している影響で、分水に用いる従来の網状スクリーンでは閉塞状態になっていた。しかし、本発明のパネルスクリーンの三角バーは、水路底面部で水流に対して直角方向に配置していることで、隙間部分から発生する藻が一定以上の流速の直撃を常時受けるため、分水取水時は藻の発生が抑えられ（図１０の写真左、中央）、通水不足はないことを確認できました。また、定期的な清掃により機能的な分水ができることも確認できました。
尚、藻の発生状況において、パネルスクリーンの三角バーを水流に対して直角に配置したものと、平行に配置したもので明らかな差異があったが、実用上、実務的には何ら問題なく使用することができることの確認ができた。
ロ、分水下段水槽で沈降させて除去したいものは、比重が２以上ある中砂で、特に砂鉄は古くから刀や包丁、農具などの道具製造材料として強度があり、日常身近に多く存在し、水の中に黒く輝き比重が７．８と言われ、その分布量が確認できました（図９の写真）。その砂鉄の粒径分布範囲は０．２５〜０．５０ｍｍが多く、本発明のパネルスクリーンでは、除去するのは難しく、比重差を利用した沈降効果で除去を図るものであります。パイプライン等の管路は、直線部分は少なく屈線を重ねて目的地まで達する方が通常なので、水流のあたる部分の衝撃を弱めることは耐用年数をより向上させることになり、強度のある砂鉄類の除去は、管内の錆や弁の損傷をより少なくする効果があり、効率よく除去するために適正な貯水沈降深さが必要である。
ハ、分水上段開水路の流路面を平滑面にする必要性は、分水設置場所の多くの現場に関わってきた経験上、想定される多種の流塵を除塵方式からすべて下流に流す設計思想の必須条件と言えます。また、前期スクリーン三角バーの断面形状は、上部流水面を平滑面にして、貯水槽への通水面は固形物が一時的に引っ掛かっても、三角バーの隙間の下開きにより、重力を利用した流水速度により除去され、隙間が小さくても効率のよい分水ができることが（図１０の写真左）実証できていることが確認でました。
ニ、農業用水の場合、水の中に含まれる土粒子のシルト・粘土については、農作物を育てる耕土として利用され、除去の必要性はまったくなく、かえって必要なものとして供給すべきものであり、上下２段構造分水路２は、以上の通り本流の流水量が少ないときでも用水を確実に分水取水でき、かつ、不要な流塵を下流に流しながら日常的管理を要せず効率的に分水できる構造であることが実証できました。
【００３６】
次に、図６乃至図７に示す本発明を実施するための他の実施例につき説明する。なお、これらの説明に当たって、前記実施例１と同一構成部分には同一符号を付して重複する説明を省略する。
【実施例２】
【００３７】
図６に示す本発明を実施するための実施例２において、前記実施例１と主に異なる点は、パネルスクリーン７のスクリーン三角バーに代えて、ステンレス平板鋼板（又は、さび止め鋼材）を使用し、三角バーの隙間Ｓ1を丸孔Ｓ1にした点で、このように形成した上下２段構造の分流装置にしても、前記実施例１と同様な作用効果が得られる。なお、ステンレス平板鋼板の補強が必要な場合には、丸孔Ｓ1が補強部材にかからないように丸孔Ｓ1の位置を移動させると共に裏側となる分水下段水槽４側に設けるものとする。ステンレス平板鋼板の丸孔タイプは、上段開水路の敷として一番効率よく流塵思想の考えが出ている方法であり、分水に対してはパネルスクリーンの枚数を多く増やすことで対応できる現場での適用ができる。
【実施例３】
【００３８】
図7に示す本発明を実施するための実施例３において、前記実施例１と主に異なる点はパネルスクリーン７のスクリーン三角バーに代えて、ステンレス平板鋼板（又は、さび止め鋼材）を使用し、三角バーの隙間Ｓ1を横長の孔（スリット）Ｓ1にした点で、このように形成した上下２段構造の分流装置にしても、前記実施例１と同様な作用効果が得られる。なお、ステンレス平板鋼板の補強が必要な場合には、横長の孔Ｓ1が補強部材にかからないように横長の孔Ｓ1の位置を移動させると共に裏側となる分水下段水槽４側に設けるものとする。ステンレス平板鋼板の横長の孔タイプも丸孔タイプ同様に、上段開水路の流塵思想の考えを重視したほか、製作費用や維持管理をできるだけ少なくするために提供するもので、基本的な分水の設計は、除塵目的から流塵への思想は同じである。
また、パネルスクリーン７の孔は実施例２の丸孔Ｓ１と実施例３の横長の孔（スリット）Ｓ１とを適宜組み合わせたものであっても良い。
【産業上の利用可能性】
【００３９】
本発明は、農業用水路、及び、小水力発電等の分水装置を製造する産業で利用される。
【符号の説明】
【００４０】
１・・・上流開水路  (本流路)
２・・・上下２段構造分水路（上下２段構造の分流装置）  
３・・・分水上段開水路  (上段流路)
４・・・分水下段水槽  (下段貯水装置)
５・・・下流開水路  (本流路)
６・・・現場打ちコンクリート（側壁）
７・・・パネルスクリーン
８・・・開閉栓(排出弁)
９・・・外枠アングル(外枠)
１０・・・スクリーン三角バー（断面三角形の棒）
１１・・・分水管路
１２・・・排砂管路
１３・・・パネルスクリーンの差込溝
Ｂ１・・・スクリーン全巾
Ｂ２・・・スクリーン通水巾
Ｂ３・・・上流開水路巾
Ｂ４・・・現場打ちコンクリート巾
Ｂ５・・・下流開水路巾
Ｌ１・・・分水路長
Ｌ２・・・スクリーン設置長
Ｌ３・・・パネルスクリーン長（1枚）
Ｓ１・・・丸穴、横長の孔（スリット）、三角バー間の隙間（許容孔）
Ｓ２・・・スクリーン三角バー断面厚
Ｗ１・・・上流開水路水位
Ｗ２・・・分水上段開水路水位
Ｗ３・・・下流開水路水位
Ｈ１・・・上流開水路高
Ｈ２・・・下流開水路高
Ｈ３・・・分水下段水槽深さ
【図１】
2012140845.tif 000003
【図２】
2012140845.tif 000004
【図３】
2012140845.tif 000005
【図４】
2012140845.tif 000006
【図５】
2012140845.tif 000007
【図６】
2012140845.tif 000008
【図７】
2012140845.tif 000009
【図８】
2012140845.tif 000010
【図９】
2012140845.tif 000011
【図１０】
2012140845.tif 000012